(57)【要約】【課題】遊技場において景品玉の出玉が多い遊技台の存在を電気的発光により目立つように表示する。【解決手段】遊技場内で景品玉の出玉が多い状態を表す表示を行う、遊技場内を自由に持ち運びできる表示具であって、遊技場内の取付ける部位に取付けるための脚部３０と、この脚部の上部に一体的に形成された、景品玉の出玉が多い状態を表す表示部２０とからなり、前記表示部２０には電飾が施されている。【選択図】        図１
2005065967.tif 000002
【特許請求の範囲】
【請求項１】
遊技場内で景品玉の出玉が多い状態を表す表示を行う、遊技場内を自由に持ち運びできる表示具であって、
遊技場内の取付ける部位に取付けるための脚部と、この脚部の上部に一体的に形成された、景品玉の出玉が多い状態を表す表示部とからなり、前記表示部には電飾が施されていることを特徴とする遊技場用表示具。
【請求項２】
請求項１に記載の遊技場用表示具であって、
前記脚部には電源を備え、表示部の電飾との間にスイッチ機構が設けられていることを特徴とする遊技場用表示具。
【請求項３】
請求項１又は２に記載の遊技場用表示具であって、
前記表示部の電飾は点滅する様に構成されており、かつ、前記点滅は複数の点滅パターンが繰り返し行われる構成となっていることを特徴とする遊技場用表示具。
【請求項４】
請求項１から３のいずれかに記載の遊技場用表示具であって、
遊技場内の送信装置から送信された信号を受信する受信装置を備え、前記受信装置によって受信した信号に従って、表示部の電飾を点灯あるいは点滅させることを特徴とする遊技場用表示具。
【請求項５】
請求項１から４のいずれかに記載の遊技場用表示具であって、
前記遊技場内の取付ける部位が、遊技場内を自由に移動させることができ、遊技機の景品玉を貯留しておくことのできる箱状の景品玉容器であることを特徴とする遊技場用表示具。
【請求項６】
請求項５に記載の遊技場用表示具であって、
前記脚部が景品玉容器に満たされた景品玉に対して差し込み可能な形状に形成されていることを特徴とする遊技場用表示具。
【請求項７】
請求項１から４のいずれかに記載の遊技場用表示具であって、
前記遊技場内の取付ける部位が、遊技台の上部に備え付けられた支持部であることを特徴とする遊技場用表示具。
【発明の詳細な説明】
【技術分野】
【０００１】
本発明は遊技場用表示具に関する。特にパチンコホール等の遊技場において、景品玉の出玉が多い場合に、その状態をアピールするために、景品玉を入れる景品玉容器又は遊技台に付属して設けられる表示具に関する。
なお、この明細書において「景品玉」とは、遊技場において、いわゆる当たり状態で獲得される玉のことを言う。具体的にはパチンコホールで用いられるパチンコ玉、あるいはカジノやゲームセンターで用いられるコインやメダルを示す。
【背景技術】
【０００２】
パチンコホールやカジノのような遊技場においては、景品玉の出玉が多い遊技台の遊技者はその景品玉を景品玉用容器に一杯に満たし、さらに出玉が多い場合はその景品玉用容器を足元の床上等に数段重ね置いて遊技を続けることが通常である。遊技場内の遊技者は、そのような満杯状態の景品玉用容器を認知することによって出玉の多い遊技台があることを知り、射幸心又は競争心を掻き立てられる。そのため、満杯状態の景品玉用容器の存在、ひいては出玉の多い遊技台の存在を遊技場内の遊技者に表示宣伝することは、遊技場の売り上げを高める一つの要素となっている。
上記の理由より、景品玉用容器に満たされた景品玉に対して表示具を差し込み、前記景品玉用容器が景品玉で満たされていることを表示宣伝する、あるいは景品玉の出玉が多い遊技台に表示具を取付けるという行為が従来より慣用的に行われていた。
なお、この背景技術に係る技術は、いわゆる当業者において周知慣用技術であり、例えば、特許文献１に遊技機の近傍に取付けて使用される表示具が開示されている。
【特許文献１】特開２００２−２３９１８７号公報
【発明の開示】
【発明が解決しようとする課題】
【０００３】
しかしながら、従来の表示具は単に文字が印刷されているだけの構成であり、出玉の多い遊技台の存在を遊技場内の多くの人に視認させるには、さほど効果的ではなかった。また、前記表示具に装飾的な塗装を施してあっても、遠くにいる人にとっては印象的なものではなかった。
本発明は、このような点に鑑みて創案されたものであり、本発明が解決しようとする課題は、遊技場において景品玉の出玉が多い遊技台の存在を電気的発光により目立つように表示することにある。
【課題を解決するための手段】
【０００４】
上記課題を解決するために、本発明は次の手段をとる。
まず、第１の発明に係る遊技場用表示具は次の手段をとる。すなわち、遊技場内で景品玉の出玉が多い状態を表す表示を行う、遊技場内を自由に持ち運びできる表示具であって、遊技場内の取付ける部位に取付けるための脚部と、この脚部の上部に一体的に形成された、景品玉の出玉が多い状態を表す表示部とからなり、前記表示部には電飾が施されていることを特徴とする。
この第１の発明によれば、遊技場内の取付ける部位に、表示具の脚部を介して表示具を取付けることができ、その表示部に表示された内容と相俟って、電飾の発光により景品玉の出玉が多い状態を一層目立たせることができる。
【０００５】
次に、第２の発明に係る遊技場用表示具は次の手段をとる。すなわち、前述の第１の発明において、前記脚部には電源を備え、表示部の電飾との間にスイッチ機構が設けられていることを特徴とする。
この第２の発明によれば、スイッチ機構により電飾の発光を必要な時のみに行わせることができる。
【０００６】
第３の発明に係る遊技場用表示具は次の手段をとる。すなわち、前述の第１又は第２の発明において、前記表示部の電飾は点滅する様に構成されており、かつ、前記点滅は複数の点滅パターンが繰り返し行われる構成となっていることを特徴とする。
この第３の発明によれば、複数の点滅パターンの繰り返しにより発光が行われることで、見る者に表示具をイメージ良く認識させることができる。
【０００７】
第４の発明に係る遊技場用表示具は次の手段をとる。すなわち、前述の第１から第３のいずれかの発明において、遊技場内の送信装置から送信された信号を受信する受信装置を備え、前記受信装置によって受信した信号に従って、表示部の電飾を点灯あるいは点滅させることを特徴とする。
この第４の発明によれば、前記表示部の電飾の点灯あるいは点滅パターンを、遊技場内にある送信装置から遠隔的に制御できる。
【０００８】
第５の発明に係る遊技場用表示具は次の手段をとる。すなわち、前述の第１から第４のいずれかの発明において、前記遊技場内の取付ける部位が、遊技場内を自由に移動させることができ、遊技機の景品玉を貯留しておくことのできる箱状の景品玉容器であることを特徴とする。
この第５の発明によれば、景品玉が満たされた景品玉容器に、表示具の脚部を介して表示具を取付けることができ、その表示部の電飾の発光により、景品玉が満たされた状態を一層目立たせることができる。
【０００９】
第６の発明に係る遊技場用表示具は次の手段をとる。すなわち、前述の第５の発明において、前記脚部が景品玉容器に満たされた景品玉に対して差し込み可能な形状に形成されていることを特徴とする。
この第６の発明によれば、脚部が差し込み可能な形状とされていることにより、表示具自体のみで景品玉へ差し込んで立てることができ、かつ、その差し込み力もさほど必要としない。
【００１０】
第７の発明に係る遊技場用表示具は次の手段をとる。すなわち、前述の第１から第４のいずれかに記載の発明において、前記遊技場内の取付ける部位が、遊技台の上部に備え付けられた支持部であることを特徴とする。
この第７の発明によれば、景品玉の出玉が多い遊技台に対して、表示具の脚部を介して表示具を取付けることができ、その表示部の電飾の発光により、景品玉の出玉が多い状態を一層目立たせることができる。
【発明の効果】
【００１１】
本発明は上述した手段をとることにより、次の効果を得ることができる。
先ず、第１の発明によれば、遊技場内に取付けられた表示部が、電飾の発光により印象的になるため、遊技場内を移動中の遊技者のみならず、他の遊技台で遊技中の者にも、その景品玉の出玉が多い遊技台の存在を容易に視認させることができる。また、取付け部位からの取り外しが容易であり、さらには遊技場内を自由に持ち運びができるというメリットもある。
【００１２】
次に、第２の発明によれば、電飾の電源を外部からとる必要がなくなり、可搬性が高まる。さらに、スイッチ機構を設けたことにより、前記表示具を使用する際にワンタッチで発光させることができる。
【００１３】
第３の発明によれば、電飾の点滅により、第１又は第２の発明よりもさらに視認性が高まる。
【００１４】
第４の発明によれば、電飾の点灯又は点滅パターンを遠隔的に制御できるので、遊技場内に散在する表示具に対して、表示させたいパターンを個別にあるいは一括して表示させることができる。
【００１５】
第５の発明によれば、通常であれば装飾性のない景品玉容器を、電飾の発光により目立たせることができる。
【００１６】
第６の発明によれば、表示具を取付けるための機構を景品玉容器に施す必要がなく、前記表示具は、満杯状態の景品玉に対して差し込むだけの操作で使用可能となる。
【００１７】
第７の発明によれば、景品玉の出玉が多い遊技台を、その遊技台自体の電飾に加え、表示具の発光によりさらに目立たせることができる。
【発明を実施するための最良の形態】
【００１８】
以下に本発明を実施するための最良の形態を図面を用いて説明する。なお、以下の実施例では遊技場としてパチンコホールを想定している。
【実施例１】
【００１９】
実施例１は図１から図３に示されている。図１は遊技場用表示具（以下「表示具」という。）１０の外観全体を示す斜視図、図２は前記表示具１０の分解斜視図、図３は前記表示具が実際に景品玉容器に対して使用されている状態を示す斜視図である。
図１に良く示されているように、表示具１０は表示部２０と脚部３０とからなっており、表示部２０と脚部３０は一体的に連接して設けられている。図１で見て脚部３０の下部先端３０ａの形状は、満たされた状態のパチンコ玉に対して差し込みができる尖った形状とされている。また、脚部３０の上部位置には電源ボックス３１及びスイッチ機構としての電源スイッチ３２が設けられている。表示部２０の表裏両外面にはパチンコ玉が満たされた状態を表す表示がされている。これら表示部２０と脚部３０が一体的に形成される表示具１０は、図２に良く示されているように、３枚の樹脂製の板材１０a〜１０ｃが貼り合わされて形成されている。
【００２０】
図２に基いて説明すると、板材１０は真中に配置される中板１０ｂと、前記中板１０ｂの両側に配置される表外板１０ａ及び裏外板１０ｃとから構成されている。この３枚の板材１０ａ〜１０ｃには、乾電池あるいは充電池のような電源を収納するための電源ボックス３１ａ及び３１ｂが設けられており、さらに前記電源ボックス３１ａには電源スイッチ３２が付設されている。なお、本実施例では、電源ボックス３１は表示具の表裏両方に跨る構成としたが、電源の容量等により、表外板１０aあるいは裏外板１０ｂのいずれか一方に設けられる構成としてもよい。
【００２１】
また、外板１０ａ及び１０ｃの表示部２０には、中板１０ｂに設置される発光体の光を透過させるための光透過窓２１ａ及び２１ｂが設けられている。さらに、外板１０ａ及び１０ｃの外側表面には、パチンコ玉が満たされている状態を示す図案が施されている。この図案は図２中には表示は省略したが、例えば、図１に示すように「やったぜ！大爆発！！」のような遊技者を鼓舞する図案を入れてもよいし、「パチンコホール×××」のような遊技店を宣伝する図案を入れてもよい。この図案は光透過窓２１ａ及び２１ｂを確保しつつ外板１０a及び１０ｃの外側表面に直接塗装してもよいし、あるいは、シール等を貼り付けてもよい。なお、外板１０ａ及び１０ｃの材質としては、特に透明アクリル樹脂を用いれば、光透過窓２１の加工が容易になる。その際、光透過窓２１a及び２１ｂの裏側表面に磨硝子状の加工を施しておけば、光透過窓２１全体が光輝いて見えるため、前記光透過窓２１の大きさをある程度自由に調整できる。
【００２２】
次に、中板１０ｂの表示部２０部分は、発光体２２を備えた配線基盤２３として構成されており、発光ダイオードのような発光体２２が、表面及び裏面の両面に複数配置されている。各発光体２２は配線２４によって電気的に接続されている。発光体２２を片面のみに配置する使用形態も考えられるが、その場合は外板１０ａあるいは１０ｃのどちらか一方の光透過窓は不要となる。さらに、発光体２２を点滅させる等の発光パターンを適用する場合は、この発光パターンを制御するための点滅制御回路２５が必要となる。この実施例においては、点滅制御回路２５は中板１０ｂの脚部３０部分に設置されている。
【００２３】
なお、図４に示すように、電源ボックス３１内に受信部２６を追加することにより、発光パターンの制御を表示具１０とは別の送信装置５０からの信号５１によって行うことも可能である。例えば、遊技台に送信装置５０を設置して、遊技台の出玉状態が送信信号処理装置５０ｂに入力されるようにすれば、前記処理装置５０ｂによって処理出力された出玉状態を示す信号が、送信部５０ａから表示具１０の受信部２６に送信される。受信部２６に到達した信号５１は、受信部２６で処理されて点滅制御回路２５を制御する。ここで、送受信に用いられる信号５１は電波又は赤外線が好ましいが、特に無線に限定されるものではない。
【００２４】
本実施例に係る表示具を使用するときは、図３に示されるように、満杯状態のパチンコ玉６０の中に脚部３０を差し込むことにより、脚部３０が周りのパチンコ玉６０に支えられて立設される。電源の入れ方については、図３に示すように、電源スイッチ３２をオンにした状態で景品玉容器４０内に満たされたパチンコ玉６０の中に立設するか、あるいは立設させた状態で電源スイッチ４２をオンにする。または、図５〜図８に示すように、電源スイッチ３２を脚部３０の近傍に設置して、立設の際にパチンコ玉６０に電源スイッチ３２が押圧されて電源が入る構成にすることもできる。図５及び図６は電源スイッチオフの状態、図７及び図８は電源スイッチオンの状態を示している。
【００２５】
なお、この実施例では表示部２０の形状を円盤形状にし、発光体２２を内周から外周へ向かう複数の直線状に配置しているが、表示部２０の形状は多角形状でもよいし、発光体２２の配置も直線状のみならず、前記表示部の図案等に合わせて様々な配置パターンにしてもよい。
【００２６】
また、発光体２２に関しては、発光ダイオードが一般的であるが、現在はコンパクトかつ消費電力の少ない様々な発光体が開発されているので、例えば、液晶やエレクトロルミネセンス等を使用することも可能である。
【実施例２】
【００２７】
実施例２は図９及び図１０に示されている。本実施例２は実施例１に係る表示具１０に光ファイバーを適用したものであり、その他の構成は実施例１と同様である。このため、実施例１において使用された部材と同じ部材については同一番号を付して説明を省略する。ここで、図９は表示具１０の外観全体を示す斜視図、図１０は表示具１０の表示部２０の表側面の積層構造を示す分解斜視図である。なお、表示部２０の裏側面は、前記表側面と同様なので図示は省略する。
【００２８】
図１０に基いて説明すると、配線基盤２３の表側面は、光透過孔２８が穿設された鏡面フィルム２７、光ファイバー２９、及び透明アクリル樹脂のような光を透過する表外板１０aを貼り合わせた構成となっている。発光体２２の光は鏡面フィルム２７によって反射強調され、図８に示すように光ファイバー２９の図形形状が表示具１０の表側面に浮かび上がる。なお、鏡面フィルム２７は光ファイバー２９の光を反射して強調する機能を有していればよいので、材質は樹脂でも金属でも構わない。また、光を印象的に拡散させるという点では、光ファイバー２９は側面漏光性のある、装飾用の光ファイバーであることが好ましく、表外板１０ａの透明アクリル樹脂には、その裏側面に光ファイバー２９に沿って磨硝子状の加工を施すか、あるいは光を拡散させる塗装をしておくのもよい。さらには、光ファイバー２９は一本だけとは限らず、細い光ファイバーを複数本束ねたものであれば、光量が増して好ましい。
【実施例３】
【００２９】
実施例３は図１１に示されている。図１１は本実施例３に係る表示具１０が景品玉容器４０に立設される様子を示す斜視図である。本実施例は実施例１及び２に係る表示具１０の脚部３０にクリップ構造を設けたものであり、その他の構成は実施例１及び２と同様である。すなわち、脚部３０は逆Ｕ字形に形成されており、Ｕ字形個所が景品玉容器４０の側面を挟んで挟挿されることにより表示具１０は立設される。この実施例の表示具１０によれば、景品玉容器４０にパチンコ玉が十分に貯留されていない場合でも立設することができるというメリットがある。なお、前記クリップ構造としては、いわゆる洗濯バサミ形状にすることも可能である。
【実施例４】
【００３０】
実施例４は図１２に示されている。図１２は本実施例４に係る表示具１０が景品玉容器４０に立設される様子を示す斜視図である。本実施例では表示具１０の脚部３０には電源を有しない。その代わりに、景品玉容器４０の側面に電源ボックス３１を設置している。なお、電源ボックス３１は景品玉容器４０の底面に設置しても構わない。電源ボックス３１からの電力は配線４３を介して景品玉容器側電極４２に結線されている。
【００３１】
景品玉容器４０の側面には表示具１０の脚部３０を挿入嵌合することのできる嵌合部４１が設けられている。この嵌合部４１の底部に景品玉容器側電極４２が設けられていると共に、この景品玉容器側電極４２に対応して表示具１０の脚部３０の下部先端３０ａには表示具側電極３３が設けられている。
したがって、本実施例によれば、表示具１０の脚部３０を景品玉容器４０に設けた嵌合部４１に挿入嵌合させると、表示具側電極３３が景品玉容器側電極４２と接触し、表示具１０に電力が供給される。
【００３２】
この構成によれば、表示具１０の脚部３０を景品玉容器４０の嵌合部４１に挿入嵌合させることが表示部２０の電飾のスイッチ機能を果たすことになり、特別に別途スイッチ機構を設ける必要がなくなる。しかし、必要に応じて別途スイッチ機構を設けることは自由である。
【実施例５】
【００３３】
実施例５は図１３及び図１４に示されている。図１３は本実施例５に係る表示具１０の外観全体を示す斜視図、図１４は前記表示具の分解斜視図である。本実施例は実施例１及び２に係る表示具１０の脚部３０を分解可能な構成にしたものであり、さらには景品玉容器４０に立設した際の立設安定性を高めるために鍔３０ｂを取付けたものである。なお、立設安定性とは、表示具１０が側面方向又は正面方向に揺らいだ時に、鍔３０ｂが景品玉容器４０に満たされたパチンコ玉の表面に支えられて、表示具１０の立設が安定することをいう。また、表示具１０の電源ボックス３１の底面には断面逆Ｔ字形の凸面が設けてあり、鍔３０ｂに設けた対応する形状の凹面と挿入嵌合する。
【実施例６】
【００３４】
実施例６は図１５及び図１６に示されている。図１５は本実施例６に係る表示具１０と遊技台の上部に備え付けられる支持部４４を示す斜視図であり、図１６は本実施例６に係る表示具１０が実際にパチンコホールで使用されている例を示す斜視図である。表示具１０の支柱３０ｃには、支持部４４に挿入嵌合する台座３０ｄが一体的に接続されている。なお、台座３０ｄと支柱３０ｃが接続される角度は任意であるが、本実施例では、表示部２０が支持部４４に取付けた時に、水平線よりも上向きの角度となるようにしている。一方支持部４４には、台座３０ｄが挿入されるように断面がＴ字形となるスリット４５が設けられている。スリット４５は、上部が開放されており下部が閉塞端となっているので、表示具１０の脚部３０がスリット４５の上部から挿入嵌合され、表示具１０は落下せずに支持される。表示具１０の支持部４４への取付けはワンタッチである。
なお、本実施例に係る脚部３０は、前記した実施例５のような、分解可能な構成としてもよい。ただし、その場合は支持部４４に取付ける際に支柱３０ｄが脚部３０から容易に外れることのない構造とする必要がある。分解可能な構成とすることにより、脚部３０はいわゆるカートリッジ式に取替えることができるので、一つの表示部２０を景品玉容器用としても遊技台用としても使用可能となる。
また、本実施例に係る台座３０ｃと支持部４４に対して、前記した実施例４のような電極構造を設けると表示具１０の電力を、例えば遊技台のような外部に設置した電源からとることも可能となる。
【図面の簡単な説明】
【００３５】
【図１】本発明の実施例１に係る遊技場用表示具の斜視図である。
【図２】実施例１の遊技場用表示具の分解斜視図である。
【図３】実施例１の遊技場用表示具が景品玉容器に立設されている様子を示す斜視図である。
【図４】実施例１の遊技場用表示具に係る送受信機能を示すブロック図である。
【図５】実施例１の遊技場用表示具が立設されておらず、電源スイッチがオフになっている状態を示す斜視図である。
【図６】図５の状態の側面図である。
【図７】実施例１の遊技場用表示具が立設され、電源スイッチがオンになっている状態を示す斜視図である。
【図８】図７の状態の側面図である。
【図９】本発明の実施例２に係る遊技場用表示具の斜視図である。
【図１０】実施例２の遊技場用表示具の表示部の構成を示す分解斜視図である。
【図１１】本発明の実施例３に係る遊技場用表示具及び景品玉容器の斜視図である。
【図１２】本発明の実施例４に係る遊技場用表示具及び景品玉容器の斜視図である。
【図１３】本発明の実施例５に係る遊技場用表示具の斜視図である。
【図１４】実施例５の遊技場用表示具が分解された様子を示す斜視図である。
【図１５】本発明の実施例６に係る遊技場用表示具及び支持部の斜視図である。
【図１６】実施例６に係る遊技場用表示具が遊技台に取付けられている様子を示す斜視図である。
【符号の説明】
【００３６】
１０    遊技場用表示具
１０ａ〜１０ｃ    板材
２０    表示部
２１ａ、２１ｂ    光透過窓
２２    発光体
２３    配線基盤
２４    配線
２５    点滅制御回路
２６    受信部
２７    鏡面フィルム
２８    光透過孔
２９    光ファイバー
３０    脚部
３０ａ    下部先端
３０ｂ    鍔
３０ｃ    支柱
３０ｄ    台座
３１    電源ボックス
３２    電源スイッチ
３３    表示具側電極
４０    景品玉容器
４１    嵌合部
４２    景品玉容器側電極
４３    景品玉容器側配線
４４    支持部
５０    送信装置
５１    信号
６０    パチンコ玉
７０    遊技台
【図１】
2005065967.tif 000003
【図２】
2005065967.tif 000004
【図３】
2005065967.tif 000005
【図４】
2005065967.tif 000006
【図５】
2005065967.tif 000007
【図６】
2005065967.tif 000008
【図７】
2005065967.tif 000009
【図８】
2005065967.tif 000010
【図９】
2005065967.tif 000011
【図１０】
2005065967.tif 000012
【図１１】
2005065967.tif 000013
【図１２】
2005065967.tif 000014
【図１３】
2005065967.tif 000015
【図１４】
2005065967.tif 000016
【図１５】
2005065967.tif 000017
【図１６】
2005065967.tif 000018